(57)【要約】 【課題】  累進帯長に応じて遠用部測定領域が変動する累進多焦点レンズであって、従来からある印刷装置を用いて印刷を行うことができる遠用部測定マークを備えた累進多焦点レンズを提供すること。【解決手段】内面累進多焦点レンズには、遠用部測定マーク１１Ａが付されている。この遠用部測定マーク１１Ａは、対向配置された一対のマーク本体１１Ａ１を備える。マーク本体１１Ａ１は、円弧部分１１Ａ２と、円弧部分１１Ａ２の両端部から延びる一対の直線部１１Ａ３とを備えている。円弧部分１１Ａ２は、主子午線Ｌ１上に対角線が位置する菱形Ｄを想定した場合に、この菱形Ｄの前記主子午線Ｌ１上の角部を構成する２辺に内接するものである。内面累進多焦点レンズの累進帯長が第一の累進帯長である場合には、一方の円弧部分１１Ａ２近傍に遠用部測定領域があり、他方の累進帯長である場合には、他方の円弧部分１１Ａ２近傍に遠用部測定領域がある。【選択図】 図２
2006113129.tif 000002
【特許請求の範囲】
【請求項１】
異なる屈折力を備えた遠用部及び近用部と、これらの間で屈折力が累進的に変化する累進帯とを備えた累進多焦点レンズであって、
レンズ表面には、近用部の度数の測定領域を示す略円形形状の近用部測定マークと、
遠用部の度数の測定領域を示す遠用部測定マークとが形成されており、
前記遠用部測定マークは、一方の対角線が主子午線上に位置する菱形を想定した場合に、この菱形の前記主子午線上の角部を構成する２辺に内接し、対向した一対の円弧部分と、
前記各円弧部分の両端部から、前記菱形の他方の対角線方向に延びるとともに、前記菱形の辺の一部と重なる直線部とを備え、
前記遠用部測定マークは、複数の累進帯長に応じて変位する遠用部の測定領域を含むように付されており、
前記累進帯の累進帯長が、前記複数の累進帯長のうち、第一の累進帯長である場合には、前記遠用部の測定領域が、前記一対の円弧部分のうち何れか一方の円弧部分の内側近傍に位置し、前記累進帯の累進帯長が、第二の累進帯長である場合には、遠用部の測定領域が、他方の円弧部分の内側近傍に位置するように前記遠用部測定マークが付されていることを特徴とする累進多焦点レンズ。
【請求項２】
請求項１に記載の累進多焦点レンズにおいて、
前記遠用部測定マークを構成する一方の円弧部分の両端部から延びる直線部は、他方の円弧部分の両端部から延びる直線部と離間して対向していることを特徴とする累進多焦点レンズ。
【請求項３】
請求項２に記載の累進多焦点レンズにおいて、
遠用部の度数測定は、累進多焦点レンズが設置されるとともに、度数測定用の光線を射出する受け台と、この受け台からの光線を受光して度数を測定する測定部とを備えたレンズメータにより行なわれ、
前記レンズメータの受け台は、レンズとの当接部分の径が異なる２種類の受け台から選択されたものであり、
前記円弧部分の半径及び前記円弧部分の両端部から延びる直線部の先端部から前記円弧部分の中心までの寸法は、径の異なる２種類の受け台に応じて設定されることを特徴とする累進多焦点レンズ。
【請求項４】
請求項１から３の何れかに記載の累進多焦点レンズにおいて、
前記遠用部測定マークは、３種類以上の累進帯長に応じて変位する遠用部の測定領域を含むように付されており、
想定した前記菱形よりも大きな形状又は小さな形状であり、主子午線上に一方の対角線が位置する少なくとも一つの他の菱形を想定し、
前記遠用部測定マークは、他の菱形の前記主子午線上の角部を構成する２辺に内接する円弧部分と、
この円弧部分の両端部から前記他の菱形の他方の対角線方向に延び、前記他の菱形の辺の一部と重なる直線部とを備え、
前記累進帯の累進帯長が、第三の累進帯長である場合には、他の菱形に内接する円弧部分近傍に、前記遠用部の測定領域が位置することを特徴とする累進多焦点レンズ。
【発明の詳細な説明】
【技術分野】
【０００１】
本発明は、累進多焦点レンズに関する。
【背景技術】
【０００２】
近年、老眼等により、目の調節力が低下した場合等に、遠近両用眼鏡レンズである累進多焦点レンズを用いた眼鏡が使用されている。この累進多焦点レンズは、一枚のレンズに異なる度数を持たせたレンズであり、例えば、レンズの上側部分が遠くを見るための遠用部、下側部分が近くを見るための近用部、遠用部から近用部にかけては屈折力が累進的に変化する累進帯となっており、眼球側に位置する内面に遠用部、近用部、累進帯を構成する曲率が付加されている（例えば、特許文献１参照）。
図１４に示すように、このような累進多焦点レンズ１００では、遠用部の度数の測定領域（遠用部測定マーク１０１）内にフィッティングポイントを設け、この点を基準にして、累進帯長Ｐ１，Ｐ２により、近用部の度数の測定領域（近用部測定マーク１０２）を決定している（特許文献１参照）。
なお、図１において、符号Ｗ１，Ｗ２は、累進多焦点レンズ１００の主子午線を示している。
このような累進多焦点レンズ１００においては、累進多焦点レンズ１００を印刷装置にセットし、累進多焦点レンズ１００の位置をＸ軸方向、Ｙ軸方向に調整して、近用部の度数の測定領域を示す円形の近用部測定マーク１０２を、所定の位置に印刷している。
なお、遠用部測定マーク１０１を付す位置は、累進帯長が異なる累進多焦点レンズ１００であっても、同じ位置であるため、累進多焦点レンズ１００を印刷装置にセットした後、累進多焦点レンズ１００の位置を制御せずに、円形の遠用部測定マーク１０１を付している。
【０００３】
一方、近年、累進帯が眼鏡レンズ上方にまで広がった中近用の累進多焦点レンズなど、様々な設計の眼鏡レンズが提案されている。
このような累進多焦点レンズにおいては、従来の累進多焦点レンズよりも、遠用部が眼鏡レンズ上方側に寄っているため、フィッティングポイントを遠用部に設けると、レンズの上方側にフィッティングポイントが位置してしまうという問題がある。そこで、フィッティングポイントをレンズの累進帯中（例えば、玉型加工前の略円形の累進多焦点レンズの幾何学中心位置）に設けることが提案されている。
【０００４】
【特許文献１】特開２００４−１０１８７９号公報（第３頁、図１）
【発明の開示】
【発明が解決しようとする課題】
【０００５】
しかしながら、眼鏡レンズの幾何学中心にフィッティングポイントを設け、このフィッティングポイントを中心に、遠用部の度数の測定領域、近用部の度数の測定領域を決定すると、図１５に示すように、累進帯長Ｐ３，Ｐ４により、遠用部の度数の測定領域、近用部の度数の測定領域が移動してしまう（なお、図１５において、符号Ｗ３，Ｗ４は、累進多焦点レンズ１０５の主子午線を示している）。
そのため、近用部の近用部測定マーク１０２を印刷する際のみならず、遠用部の遠用部測定マーク１０１を印刷する際にも、レンズの位置の制御を行なわなければならない。これにより、印刷装置のシーケンスの大幅な変更が余儀なくされ、印刷装置の改変にコストがかかるという問題がある。
【０００６】
本発明の目的は、累進帯長に応じて遠用部の測定領域が変動する累進多焦点レンズであって、従来からある印刷装置を用いて印刷を行うことができる遠用部測定マークを備えた累進多焦点レンズを提供することである。
【課題を解決するための手段】
【０００７】
本発明の累進多焦点レンズは、異なる屈折力を備えた遠用部及び近用部と、これらの間で屈折力が累進的に変化する累進帯とを備えた累進多焦点レンズであって、レンズ表面には、近用部の度数の測定領域を示す略円形形状の近用部測定マークと、遠用部の度数の測定領域を示す遠用部測定マークとが形成されており、前記遠用部測定マークは、一方の対角線が主子午線上に位置する菱形を想定した場合に、この菱形の前記主子午線上の角部を構成する２辺に内接し、対向した一対の円弧部分と、前記各円弧部分の両端部から、前記菱形の他方の対角線方向に延びるとともに、前記菱形の辺の一部と重なる直線部とを備え、前記遠用部測定マークは、複数の累進帯長に応じて変位する遠用部の測定領域を含むように付されており、前記累進帯の累進帯長が、前記複数の累進帯長のうち、第一の累進帯長である場合には、前記遠用部の測定領域が、前記一対の円弧部分のうち何れか一方の円弧部分の内側近傍に位置し、前記累進帯の累進帯長が、第二の累進帯長である場合には、遠用部の測定領域が、他方の円弧部分の内側近傍に位置するように前記遠用部測定マークが付されていることを特徴とする。
【０００８】
このような本発明によれば、遠用部測定マークは、主子午線上に対角線が位置する菱形を想定した場合に、この菱形の主子午線上の角部を構成する２辺に内接する一対の円弧部分と、前記各円弧部分の両端部から延びる直線部とを備えている。そして、累進帯の累進帯長が、複数の累進帯長のうち、第一の累進帯長である場合には、遠用部の測定領域が、一対の円弧部分のうち何れか一方の円弧部分の内側近傍に位置し、累進帯の累進帯長が、第二の累進帯長である場合には、遠用部の測定領域が、他方の円弧部分の内側近傍に位置している。
すなわち、本発明の累進多焦点レンズの遠用部測定マークは、少なくとも２種の累進帯長の異なるレンズに対応した遠用部測定マークとなっている。
従って、このような遠用部測定マークが付された累進多焦点レンズの遠用部の度数を測定する際には、累進多焦点レンズの累進帯長に応じて、一方の円弧部分及び直線部、或いは他方の円弧部分及び直線部を目安とし、レンズメータの受け台を設置すればよいのである。
このように、遠用部測定マーク自体が眼鏡レンズの累進帯長に応じたものとなっているので、レンズの累進帯長に応じて、遠用部測定マークの印刷位置を変更する必要がなく、従来からある印刷装置を改変せずに、使用することが可能となる。
これにより、累進多焦点レンズのマークの印刷にかかるコストの増加を防止することができる。
【０００９】
さらに、遠用部測定マークは、円弧部分及びこの円弧部分の両端部から延びる直線部を備えているので、円弧部分のみならず、直線部を目安として、レンズメータの受け台を設置することが可能となる。例えば、レンズメータの受け台のレンズとの当接部分の径が円弧部分の径よりも大きいような場合には、直線部を目安として、直線部を覆うように、受け台を設置することができる。
【００１０】
さらに、本発明では、前記遠用部測定マークを構成する一方の円弧部分の両端部から延びる直線部は、他方の円弧部分の両端部から延びる直線部と離間して対向していることが好ましい。
このような本発明によれば、一方の円弧部分の両端部から延びる直線部を、他方の円弧部分の両端部から延びる直線部と離間して対向することで、従来からの正円状の遠用部測定マークに近似した形状となる。従って、レンズの度数測定を行なう作業者が遠用部測定マークに違和感を覚えず、レンズの取り扱いに支障をきたすことがない。
また、一方の円弧部分の両端部から延びる直線部を、他方の円弧部分の両端部から延びる直線部と離間して対向させ、直線部同士が交差しないようにすることで、遠用部測定マークが必要以上に大きな形状とならない。
【００１１】
また、本発明では、遠用部の度数測定は、累進多焦点レンズが設置されるとともに、度数測定用の光線を射出する受け台と、この受け台からの光線を受光して度数を測定する測定部とを備えたレンズメータにより行なわれ、前記レンズメータの受け台は、レンズとの当接部分の径が異なる２種類の受け台から選択されたものであり、前記円弧部分の半径及び前記円弧部分の両端部から延びる直線部の先端部から前記円弧部分の中心までの寸法は、径の異なる２種類の受け台に応じて設定されることが好ましい。
【００１２】
一般に、累進多焦点レンズの度数を測定するためのレンズメータは、度数測定用の光線を射出する受け台と、この受け台からの光線を受光する測定部とを備えており、レンズメータの受け台上にレンズを設置し、光線を透過させて測定部で受光することで、度数を検出する構成となっている。
そして、レンズメータの受け台としては、レンズとの当接部分の径が異なる少なくとも２種類のものが存在している。
本発明では、円弧部分の半径及び前記円弧部分の両端部から延びる直線部の先端部から前記円弧部分の中心までの寸法は、レンズとの当接部分の径が異なる２種類の受け台に応じて設定される。
換言すると、遠用部測定マークの円弧部分の径は、複数種類存在する受け台のうち、何れか一つの受け台の径と略等しく、直線部の先端部から前記円弧部分の中心までの寸法は、前記受け台の径よりも大きな他の受け台の半径と略等しい。
従って、小さな径の受け台を使用する際には、円弧部分にあわせて受け台を設置することができ、大きな径の他の受け台を使用する場合には、直線部分の先端にあわせて受け台を設置すればよい。このように、本発明の遠用部測定マークは、異なる径の受け台に対応したものとなり、累進多焦点レンズの度数測定を行う作業者の利便性を考慮したものとなる。
【００１３】
さらに、本発明では、前記遠用部測定マークは、３種類以上の累進帯長に応じて変位する遠用部の測定領域を含むように付されており、想定した前記菱形よりも大きな形状又は小さな形状であり、主子午線上に一方の対角線が位置する少なくとも一つの他の菱形を想定し、前記遠用部測定マークは、他の菱形の前記主子午線上の角部を構成する２辺に内接する円弧部分と、この円弧部分の両端部から前記他の菱形の他方の対角線方向に延び、前記他の菱形の辺の一部と重なる直線部とを備え、前記累進帯の累進帯長が、第三の累進帯長である場合には、他の菱形に内接する円弧部分近傍に、前記遠用部の測定領域が位置することが好ましい。
【００１４】
このような本発明では、遠用部測定マークは、前述した菱形よりも大きな形状又は小さな形状の他の菱形を想定し、この他の菱形に内接する円弧部分及び円弧部分の端部から延びる直線部を有する。すなわち、遠用部測定マークは、前述した一対の円弧部分及びこれに連続する直線部の外側或いは内側に、他の円弧部分及び他の円弧部分の両端部から延びる直線部を備えることとなる。
そして、累進帯長が第三の累進帯長である場合には、他の円弧部分の内側近傍に遠用部の測定領域が位置することとなる。
従って、このような本発明では、３種類以上の累進帯長に応じた遠用部測定マークとなる。
【発明を実施するための最良の形態】
【００１５】
以下、本発明の実施形態を図面に基づいて説明する。
[１．内面累進多焦点レンズの構成]
図１には、本実施形態の内面累進多焦点レンズ１が示されている。
図１に示す内面累進多焦点レンズ１は、玉型加工前のレンズであり、平面略円形形状となっている。
【００１６】
この内面累進多焦点レンズ１は、屈折力が互いに異なる遠用部１１及び近用部１２と、これらの間で屈折力が累進的に変化する累進帯１３とを備え、眼球側に位置する内面に遠用部１１、近用部１２、累進帯１３を構成する曲率が付加されたレンズである。なお、外面は球面となっている。
この内面累進多焦点レンズ１の外面には、複数のマークが付されている。
例えば、内面累進多焦点レンズ１の水平方向の水平基準線を示す水平基準線マーク１４、遠用部１１の度数の測定領域を示す遠用部測定マーク１１Ａ、近用部１２の度数の測定領域を示す近用部測定マーク１２Ａ、フィッティングポイント１５等が印刷されている。このようなマーク１１Ａ，１２Ａ，１４，１５は、アルコール等の有機溶剤で除去可能なインクにより印刷されている。
なお、内面累進多焦点レンズ１の外面には、前記インクにより形成されたマーク以外に隠しマークと呼ばれる一対のマーク１６が形成されている。この隠しマーク１６は、内面累進多焦点レンズ１の成形型から転写されるマークであり、水平基準線上に位置している。
【００１７】
フィッティングポイント１５は、内面累進多焦点レンズ１の幾何学的な中心位置に設置されており、累進帯１３内に配置されている。
近用部１２の度数の測定領域を示す近用部測定マーク１２Ａは、正円形状のマークであり、例えば、径が５ｍｍ程度のマークである。
この近用部測定マーク１２Ａは、内面累進多焦点レンズ１の累進帯の累進帯長に応じて付される位置が変動する。
なお、近用部測定マーク１２Ａは、鼻側に偏心して配置されている。これは、目の輻輳を考慮したためである。
【００１８】
遠用部測定マーク１１Ａは、遠用部１１の度数の測定領域を示すマークである。この遠用部測定マーク１１Ａは、内面累進多焦点レンズ１の累進帯長の長さ寸法によらず、内面累進多焦点レンズ１の水平基準線マーク１４に対し、所定の位置に固定されて印刷されるものである。
【００１９】
この遠用部測定マーク１１Ａは、図２にも示すように、対向配置された一対のマーク本体１１Ａ１を備える。
マーク本体１１Ａ１は、円弧部分１１Ａ２と、円弧部分１１Ａ２の両端部から延びる一対の直線部１１Ａ３とを備えている。
円弧部分１１Ａ２は、主子午線Ｌ１上に一方の対角線Ｌ２が位置する菱形Ｄを想定した場合に、この菱形Ｄの前記主子午線Ｌ１上の角部を構成する２辺に内接するものである。この円弧部分１１Ａ２の径は、例えば５ｍｍである（図２に示す半径Ｒは、２．５ｍｍ）。また、円弧部分１１Ａ２の中心角γは、９０°〜１２０°程度が好ましい。
直線部１１Ａ３は、円弧部分１１Ａ２の両端部から、菱形Ｄの他方の対角線Ｌ３方向（水平基準線と略平行な線）に延びるものであり、前記菱形Ｄの辺の一部と重なる。
この直線部１１Ａ３の延出方向先端部と、前記円弧部分１１Ａ２の中心との距離Ｔは、例えば４ｍｍである。
一対のマーク本体１１Ａ１のうち、一方のマーク本体１１Ａ１の直線部１１Ａ３の先端と、他方のマーク本体１１Ａ１の直線部１１Ａ３の先端とは、離間しており、隙間が形成されている。
【００２０】
ここで、遠用部１１の度数の測定領域の位置は、累進帯１３の累進帯長に応じて変動する。
例えば、本実施形態の内面累進多焦点レンズ１の遠用部１１の度数の測定領域は、遠用部測定マーク１１Ａの一方のマーク本体１１Ａ１の円弧部分１１Ａ２近傍に存在している。
一方、内面累進多焦点レンズ１と累進帯長の異なる他の内面累進多焦点レンズの遠用部の測定領域は、遠用部測定マーク１１Ａの他方のマーク本体１１Ａ１の円弧部分１１Ａ２近傍に存在することとなる。
すなわち、遠用部測定マーク１１Ａは、累進帯１３の２種類の累進帯長に応じて変動する遠用部１１の測定領域を含むように付されているのである。
【００２１】
[２．内面累進多焦点レンズの度数測定]
このような内面累進多焦点レンズ１の近用部１２、遠用部１１の度数を測定する際には、次のようにして測定を行う。
図３には、内面累進多焦点レンズ１の度数の測定を行うレンズメータ２を示す。
このレンズメータ２は、度数測定用の光線を射出する受け台２１と、この受け台２１からの光線を受光して度数を測定する測定部２２とを備えている。
受け台２１上には、内面累進多焦点レンズ１が設置され、受け台２１からは、度数測定用の複数本、例えば４本の光線が射出される。受け台２１は、レンズに当接する部分の径が、例えば、５ｍｍ、８ｍｍの２種類のものが存在する。レンズメータ２の種類等に応じて受け台２１が選択される。本実施形態では、レンズとの当接部分の径が５ｍｍの受け台２１が使用されている。
測定部２２は、前記受け台２１からの光線を受光し、受光した複数本の光線によってそれぞれ検出される度数の平均値を算出する。
【００２２】
このようなレンズメータ２により、内面累進多焦点レンズ１の近用部１２の度数測定を行う際には、図４に示すように、レンズメータ２の受け台２１上に内面累進多焦点レンズ１を設置する。そして、受け台２１のレンズとの当接部分を近用部測定マーク１２Ａにあわせる。そして、受け台２１から光線を射出し、測定部２２により、度数を算出する。
【００２３】
一方、内面累進多焦点レンズ１の遠用部１１の度数測定を行う際には、図５に示すように、遠用部測定マーク１１Ａの一方のマーク本体１１Ａ１の円弧部分１１Ａ２と、受け台２１のレンズとの当接部分の外周縁とが一致するように、受け台２１上に内面累進多焦点レンズ１を設置する。そして、受け台２１から光線を射出し、測定部２２により、度数を算出する。
なお、径が８ｍｍの受け台２１を使用する際には、遠用部測定マーク１１Ａの一方のマーク本体１１Ａ１の直線部１１Ａ３の先端が受け台２１のレンズとの当接部分の外周縁と一致するように、受け台２１上に内面累進多焦点レンズ１を設置すればよい。
【００２４】
[３．マークの印刷]
次に、上述した内面累進多焦点レンズ１のマークの印刷方法について説明する。
図６に、マーク１１Ａ，１２Ａ等を印刷する印刷装置３を示す。図６は、印刷装置３の正面図である。
この印刷装置３は、移動部３１（図８参照）と、プリセット部３２と、位置決め部３３と、印刷部３４と、これらを駆動制御する制御部３５とを備える。
プリセット部３２は、移動部３１により、内面累進多焦点レンズ１を略水平に保持できるように内面累進多焦点レンズ１をセットするためのものである。
【００２５】
図７には、前記プリセット部３２の平面図が示されている。
このプリセット部３２は、内面累進多焦点レンズ１の中央部を受ける受け台３２１と、この受け台３２１の周囲に略等間隔に配置された複数本のチャック部３２２とを備える。
受け台３２１は、上端面が水平面となっており、内面累進多焦点レンズ１の中央部を上端面上に設置すると、内面累進多焦点レンズ１が略水平に保持される。
チャック部３２２は、本実施形態では、例えば、３本設けられており、受け台３２１に向かって移動可能となっている。各チャック部３２２は、受け台３２１の上端面の平面中心に対して等距離となるように、各チャック部３２２が連動して移動する。
このようなプリセット部３２では、内面累進多焦点レンズ１を受け台３２１上に設置し、チャック部３２２を内面累進多焦点レンズ１に対して均等に近づけていく。内面累進多焦点レンズ１は略正円となっているので、チャック部３２２が内面累進多焦点レンズ１の外周縁に接触することで、内面累進多焦点レンズ１の幾何学中心が受け台３２１の上端面の中心と略一致するように、セットされることとなり、内面累進多焦点レンズ１が略水平に保持される。
【００２６】
このようにして、セットされた内面累進多焦点レンズ１は、図８に示す移動部３１により保持されて移動する。
図８は移動部３１の平面図であり、移動部３１は、プリセット部３２と、位置決め部３３と、印刷部３４に沿って敷設されたレール３１１と、このレール３１１上を移動する移動部本体３１２とを備える。
移動部本体３１２は、レール３１１上に設置された移動テーブル３１２Ａと、内面累進多焦点レンズ１の外周縁を挟持するチャック部３１２Ｂと、この移動テーブル３１２Ａ上において、前記チャック部３１２ＢをＸ軸方向、Ｙ軸方向に移動するとともに、θ方向に回転駆動する駆動部３１２Ｃとを備える。
チャック部３１２Ｂは、駆動部３１２Ｃから、プリセット部３２、位置決め部３３、印刷部３４が配置された方向に向かって延びる一対のアーム３１２Ｂ１を備えている。
一方のアーム３１２Ｂ１の先端は、屈曲されており、他方のアーム３１２Ｂ１に向かって延びている。また、他方のアーム３１２Ｂ１も同様に、先端が一方のアーム３１２Ｂ１に向かって屈曲されている。
このようなアーム３１２Ｂ１により、プリセット部３２にセットされた内面累進多焦点レンズ１の外周縁を挟持し、位置決め部３３に搬送する。
【００２７】
位置決め部３３は、チャック部３１２Ｂに保持された内面累進多焦点レンズ１の向きを調整し、位置決めするためのものである。
この位置決め部３３は、図９にも示すように、緑色の単色光を照射する複数のＬＥＤ３３１Ａを備えた照射装置３３１と、照射装置３３１からの光線を受光するＣＣＤ３３２Ａを備えた受光装置３３２と、受光装置３３２で受光した画像を処理する画像処理装置３３３とを備える。
照射装置３３１のＬＥＤ３３１Ａは、Ｘ軸に沿って配置されている。このＬＥＤ３３１Ａは順に点灯し、何れかのＬＥＤ３３１Ａを点灯したときに、ＬＥＤ３３１Ａから射出された光線が内面累進多焦点レンズ１のプリズムにより屈折し、隠しマーク１６が形成されたレンズ１の外面に対し、略垂直な方向に透過することとなる。これにより、受光装置３３２で隠しマーク１６を検出することができる。受光装置３３２で受光した画像は、画像処理装置３３３で処理される。
【００２８】
この画像処理装置３３３には、内面累進多焦点レンズ１の水平基準線の位置が予め記憶されている。
図１０に示すように、画像処理装置３３３で受光した隠しマーク１６の画像３３３Ｃを結んで形成される水平基準線３３３Ｂの位置と、予め記憶された水平基準線３３３Ａの位置とが異なる場合には、アーム３１２Ｂ１をＸ軸、Ｙ軸、θ方向に駆動し、内面累進多焦点レンズ１の向きを調整する。これにより、画像処理装置３３３で受光した隠しマーク１６の画像を結んで形成される水平基準線３３３Ｂの位置と、予め記憶された水平基準線３３３Ａの位置とを一致させることができる。
【００２９】
このようにして、位置決めされたレンズ１を移動部３１により、印刷部３４の基準位置まで、搬送する。
印刷部３４は、遠用部測定マーク１１Ａ、近用部測定マーク１２Ａに対応した印刷パッド３４１と、この印刷パッド３４１を駆動する駆動装置３４２と、印刷を行なう際に、レンズ１を下方側から支持するパッド３４３とを有している。この印刷パッド３４１は、図示しないが、遠用部測定マーク１１Ａ、近用部測定マーク１２Ａに応じた凹版と、この凹版が押し当てられる樹脂製のパッドとを備えている。凹版の溝部分にインクを満たし、凹版に樹脂製のパッドを押し当てて、インクを樹脂製のパッドに転写した後、この樹脂製のパッドをレンズ１表面に押し当てることで、インクが転写されることとなる。
このような印刷パッド３４１はレンズ１表面に対し上下方向（Ｚ軸方向）にのみ駆動可能となっている。
【００３０】
印刷部３４にレンズ１が搬送されると、制御部３５に格納された累進長、輻輳等の情報が読み出され、はじめに近用部測定マーク１２Ａの印刷が行なわれる。
近用部測定マーク１２Ａの印刷を行なう際には、制御部３５に格納された情報に基づいて、移動部本体３１２の駆動部３１２Ｃが駆動され、レンズ１が基準位置から、Ｘ軸方向、Ｙ軸方向に移動することとなる。
そして、レンズ１が所定の位置に移動すると、近用部測定マーク１２Ａに応じた印刷パッド３４１がレンズ１に向かって下降し、印刷が行なわれる。
【００３１】
次に、遠用部測定マーク１１Ａの印刷を行うが、この際、レンズ１は、制御部３５により駆動制御され、基準位置に戻る。その後、遠用部測定マーク１１Ａに対応した印刷パッド３４１が下降し、印刷が行なわれる。
すなわち、遠用部測定マーク１１Ａの印刷を行なう際に、レンズ１が印刷装置の基準位置から、Ｘ軸方向、Ｙ軸方向に移動することはない。そして、Ｘ−Ｙ平面上の位置が固定された遠用部測定マーク１１Ａ用の印刷パッド３４１が下降し、印刷が行なわれるのである。
このようにして、近用部測定マーク１２Ａ、遠用部測定マーク１１Ａが印刷される。
【００３２】
[４．実施形態の効果]
従って、以上のような本実施形態によれば、以下の効果を奏することができる。
（１）遠用部測定マーク１１Ａの一対のマーク本体１１Ａ１は、円弧部分１１Ａ２と、円弧部分１１Ａ２の両端部から延びる一対の直線部１１Ａ３とを備えている。そして、本実施形態の内面累進多焦点レンズ１の遠用部１１の度数の測定領域は、遠用部測定マーク１１Ａの一方のマーク本体１１Ａ１の円弧部分１１Ａ２近傍に存在している。一方、内面累進多焦点レンズ１と累進帯長の異なる他の内面累進多焦点レンズの遠用部の測定領域は、遠用部測定マーク１１Ａの他方のマーク本体１１Ａ１の円弧部分１１Ａ２近傍に存在する。
すなわち、遠用部測定マーク１１Ａは、２種の累進帯長の異なるレンズに対応したマークとなっている。
従って、このような遠用部測定マーク１１Ａが付された本実施形態の内面累進多焦点レンズ１の遠用部１１の度数を測定する際には、レンズメータ２の受け台２１を一方の円弧部分１１Ａ２及び直線部１１Ａ３を基準に設置すればよい。
また、内面累進多焦点レンズ１と累進帯長の異なる他の内面累進多焦点レンズの遠用部の度数を測定する場合には、レンズメータ２の受け台２１を他方の円弧部分１１Ａ２及び直線部１１Ａ３を基準として設置すればよい。
このように、遠用部測定マーク１１Ａ自体がレンズの累進帯長に応じたものとなっているので、レンズの累進帯長に応じて、遠用部測定マーク１１Ａの印刷位置を変更する必要がなく、従来からある印刷装置３を使用することが可能となる。
【００３３】
（２）遠用部測定マーク１１Ａの一方の円弧部分１１Ａ２の両端部から延びる直線部１１Ａ３を、他方の円弧部分１１Ａ２の両端部から延びる直線部１１Ａ３と離間して対向することで、従来からの正円状の遠用部測定マークに近似した形状となる。従って、レンズ１の度数測定を行う作業者が遠用部測定マーク１１Ａに違和感を覚えず、レンズ１の取り扱いに支障をきたすことがない。
【００３４】
（３）また、一方の円弧部分１１Ａ２の両端部から延びる直線部１１Ａ３を、他方の円弧部分１１Ａ２の両端部から延びる直線部１１Ａ３と離間して対向させ、直線部１１Ａ３同士が交差しないようにすることで、遠用部測定マーク１１Ａが必要以上に大きな形状となることがない。
【００３５】
（４）さらに、遠用部測定マーク１１Ａは、円弧部分１１Ａ２及びこの円弧部分１１Ａ２の両端部から延びる直線部１１Ａ３を備えているので、円弧部分１１Ａ２のみならず、直線部１１Ａ３を目安として、レンズメータ２の受け台２１を設置することが可能となる。
特に、本実施形態では、遠用部測定マーク１１Ａの円弧部分１１Ａ２の半径、及び前記円弧部分１１Ａ２の両端部から延びる一対の直線部１１Ａ３の先端部と前記円弧部分１１Ａ２の中心との間の寸法は、レンズとの当接部分の径が異なる２種類の受け台２１に応じて設定されている。
遠用部測定マーク１１Ａの円弧部分１１Ａ２の径は、レンズとの当接部分の径が５ｍｍの受け台２１にあわせて設定されており、円弧部分１１Ａ２の両端部から延びる直線部１１Ａ３の先端部と前記円弧部分１１Ａ２の中心からの距離は、レンズとの当接部分の径が８ｍｍの受け台２１にあわせて設定されている。
従って、小さな径の受け台２１を使用する際には、円弧部分１１Ａ２にあわせて受け台２１を設置することができ、大きな径の他の受け台２１を使用する場合には、直線部１１Ａ３の先端にあわせて受け台２１を設置すればよい。
このように、本実施形態の遠用部測定マーク１１Ａは、レンズとの当接部分の径が異なる受け台２１に対応したものとなり、内面累進多焦点レンズ１の度数測定を行う作業者の利便性を考慮したものとなる。
【００３６】
（５）遠用部測定マーク１１Ａの円弧部分１１Ａ２の中心角γを９０°〜１２０°としており、円弧部分１１Ａ２の大きさが小さすぎないため、レンズメータ２の受け台２１を容易に円弧部分１１Ａ２に合わせることができる。
（６）さらに、本実施形態では、近用部１２の近用部測定マーク１２Ａを印刷する際には、レンズ１をＸ軸方向、Ｙ軸方向に駆動制御し、累進帯長に応じた正確な位置に近用部測定マーク１２Ａを印刷している。そして、印刷された近用部測定マーク１２Ａは、正円であるため度数測定時に、レンズメータ２の受け台２１を容易にあわせることができる。
従って、近用部１２の度数を正確に測定することが可能となる。
【００３７】
なお、本発明は前述の実施形態に限定されるものではなく、本発明の目的を達成できる範囲での変形、改良等は本発明に含まれるものである。
例えば、前記実施形態では、遠用部測定マーク１１Ａは、一対のマーク本体１１Ａ１を備え、一対のマーク本体１１Ａ１は離間配置されていた。すなわち、各マーク本体１１Ａ１の直線部１１Ａ３の先端間には隙間が形成されていたが、これに限らず、例えば、図１１の遠用部測定マーク１７のように、遠用部測定マーク１１Ａと同様の一対の円弧部分１１Ａ２から延びる直線部１７１の先端が接続されていてもよい。
【００３８】
さらに、前記実施形態では、円弧部分１１Ａ２の両端部から菱形Ｄの対角線Ｌ３方向に直線部１１Ａ３が延びていたが、これに加えて、図１２の遠用部測定マーク１８のように、円弧部分１１Ａ２から円弧部分１１Ａ２が内接する菱形の頂点に向かって延びる直線部１８１があってもよい。
このように、直線部１７１同士を接続したり、菱形の頂点に向かって延びる直線部１８１を形成したりすることで、遠用部測定マーク１７，１８の視認性を向上させることができる。
【００３９】
また、前記実施形態では、遠用部測定マーク１１Ａは、一対のマーク本体１１Ａ１を備えるものとしたが、これに限らず、例えば、図１３に示すように、２対のマーク本体１１Ａ１を備えるものとしてもよい。図１３に示す遠用部測定マーク１９は、一対のマーク本体１１Ａ１と、この一対のマーク本体１１Ａ１の外側に配置された他の一対のマーク本体１１Ａ１とを備える。すなわち、遠用部測定マーク１９は、４つのマーク本体１１Ａ１を備えたものとなっている。内側に配置された一対のマーク本体１１Ａ１は、前記実施形態の遠用部測定マーク１１Ａを構成するマーク本体１１Ａ１である。
外側に配置された一対のマーク本体１１Ａ１は、内側に配置されたマーク本体１１Ａ１よりも大きな形状の菱形Ｄ’を想定して形成されたものである。
このように、遠用部測定マーク１９を４つのマーク本体１１Ａ１を備えるものとすることで、４種類の累進帯長に応じた遠用部測定マークとすることができる。
なお、前記実施形態の菱形Ｄよりも小さな形状の菱形を想定して、一対のマーク本体１１Ａ１を形成してもよい。
さらに、遠用部測定マーク１１Ａを３つのマーク本体１１Ａ１を備えるものとしてもよい。
【００４０】
また、前記実施形態では、内面に遠用部１１，近用部１２，累進帯１３が形成された内面累進多焦点レンズ１を例示したが、これに限らず、外面にこれらの遠用部、近用部、累進帯が形成された外面累進多焦点レンズであってもよい。
また、前記実施形態では、プリセット部３２と、位置決め部３３と、印刷部３４等を備える印刷装置３を例示したが、プリセット部３２や、位置決め部３３がない印刷装置を用いても良い。例えば、作業者がモニターを観察しながら、レンズ１の隠しマーク１６と、印刷装置で設定されたマークとを一致させて、レンズ１の位置決めを手動で行い、その後、印刷を行なうような印刷装置を用いても良い。このようにすることで、印刷装置にかかるコストを低減させることができる。
【００４１】
また、前記実施形態では、遠用部測定マーク１１Ａの円弧部分１１Ａ２の中心角γは、９０°〜１２０°程度が好ましいとしたが、中心角γの範囲はこれに限られるものではなく、例えば、６０°程度であってもよい。
【産業上の利用可能性】
【００４２】
本発明は、異なる屈折力を備えた遠用部及び近用部と、これらの間で屈折力が累進的に変化する累進帯とを備えた累進多焦点レンズに利用することができる。
【図面の簡単な説明】
【００４３】
【図１】本発明の実施形態にかかる内面累進多焦点レンズを示す平面図。
【図２】前記内面累進多焦点レンズに印刷された遠用部測定マークを示す平面図。
【図３】レンズメータを示す正面図。
【図４】前記レンズメータにより、内面累進多焦点レンズの度数を測定する状態を示す図。
【図５】前記レンズメータの受け台と、遠用部測定マークとの関係を示す模式図。
【図６】印刷装置を示す正面図。
【図７】前記印刷装置のプリセット部を示す平面図。
【図８】前記印刷装置の移動部を示す平面図。
【図９】前記印刷装置の位置決め部を示す模式図。
【図１０】レンズの位置決め状態を示す模式図。
【図１１】前記遠用部測定マークの変形例を示す図。
【図１２】前記遠用部測定マークの変形例を示す図。
【図１３】前記遠用部測定マークの変形例を示す図。
【図１４】従来の内面累進多焦点レンズを示す模式図。
【図１５】従来の内面累進多焦点レンズを示す模式図。
【符号の説明】
【００４４】
１…内面累進多焦点レンズ、２…レンズメータ、１１…遠用部、１１Ａ…遠用部測定マーク、１１Ａ２…円弧部分、１１Ａ３…直線部、１７…遠用部測定マーク、１８…遠用部測定マーク、１９…遠用部測定マーク、１２…近用部、１２Ａ…近用部測定マーク、１３…累進帯、２１…受け台、１７１…直線部、１８１…直線部、Ｄ…菱形、Ｌ１…主子午線、Ｌ２…軸、γ…中心角
【図１】
2006113129.tif 000003
【図２】
2006113129.tif 000004
【図３】
2006113129.tif 000005
【図４】
2006113129.tif 000006
【図５】
2006113129.tif 000007
【図６】
2006113129.tif 000008
【図７】
2006113129.tif 000009
【図８】
2006113129.tif 000010
【図９】
2006113129.tif 000011
【図１０】
2006113129.tif 000012
【図１１】
2006113129.tif 000013
【図１２】
2006113129.tif 000014
【図１３】
2006113129.tif 000015
【図１４】
2006113129.tif 000016
【図１５】
2006113129.tif 000017